【手続補正書】
【提出日】平成19年6月28日(2007.6.28)
【手続補正１】
【補正対象書類名】明細書
【補正対象項目名】０００１
【補正方法】変更
【補正の内容】
【０００１】
無線移動機器は、より速いデータ転送速度とより速い処理速度を目指し、常に進化を続けている。これらの能力とともに、無線電話や個人用携帯情報端末などの移動機器にはソフトウェアあるいはファームウェアモジュールが実装され、様々な機能と特徴が実現されている。これらのソフトウェアモジュールは、音楽の再生、ビデオや図形との連携、あるいは、複数の種類のネットワークあるいは国際的に移動機器が用いられるように、基本的なセキュリティやアクセスアルゴリズムに関連した機能として用いられる。２００２年１０月２日発行の欧州特許番号 ＥＰ １  ２４６ ４３８ Ａ２、および、１９９８年８月１１日発行の米国特許番号５，７９４，１４２は、様々な機能と特徴を有する移動端末について説明している。
【手続補正２】
【補正対象書類名】特許請求の範囲
【補正対象項目名】全文
【補正方法】変更
【補正の内容】
【特許請求の範囲】
【請求項１】
移動機器での有効化された利用状態を計測するために、実施許諾を受けたモジュールを登録する方法であって、
移動機器の利用者により初めてアクセスされる実施許諾を受けたモジュールを検知するステップ（２０２）と、
少なくともモジュール識別子を含むモジュールパラメータを収集するステップ（３０４、３０６、３１０）と、
初めてアクセスされた実施許諾を受けたモジュールの検出状態に応じて、少なくともモジュール識別子を含む登録メッセージを組み立てるステップ（３１２）と、
移動機器に格納された宛先アドレスに対応したモジュール機能有効化システムに対し、移動機器から通信ネットワークを介して登録メッセージを送信するステップ（３１６）とを含むことを特徴とする方法。
【請求項２】
請求項１記載の方法は、さらに、登録メッセージを送信する前に、登録メッセージを暗号化するステップ（３１４）を含むことを特徴とする方法。
【請求項３】
請求項１記載の方法は、さらに、受信確認メッセージをモジュール機能有効化システムから受信するステップ（３１６）を含むことを特徴とする方法。
【請求項４】
請求項３記載の方法は、さらに、受信確認メッセージの受信を待ち、実施許諾を受けたモジュールの動作を、少なくとも部分的に待機状態とするステップを含むことを特徴とする方法。
【請求項５】
請求項１記載の方法は、さらに、登録メッセージの送信の前に、利用者に対して、登録メッセージの送信の承認を求めるステップを含むことを特徴とする方法。
【請求項６】
請求項１記載の方法は、さらに、移動機器の配信経路パラメータに応じて、登録メッセージの配信経路を選択するステップを含むことを特徴とする方法。
【請求項７】
請求項１記載の方法は、さらに、配信経路パラメータに応じて、モジュールパラメータの中から登録メッセージの配信経路を選択するステップを含むことを特徴とする方法。
【請求項８】
移動機器（１００、４００）であって、
通信ネットワークを介してメッセージを送信する無線周波数（ＲＦ）ブロック（４０１）と、
移動機器の動作を制御するプロセッサプラットフォーム（４０８）とを含むことを特徴とする移動機器であり、
プロセッサプラットフォームは、
モジュール識別子を含むモジュールパラメータを含む少なくとも一つの実施許諾を受けたモジュール（１０２、４１４）と、
モジュールパラメータを収集し、実施許諾を受けたモジュールに対する利用者による初めてのアクセスの際に、少なくともモジュール識別子を含む登録メッセージを組み立てるように動作するモジュールハンドラ（１０６、４１２）とを含み、
プロセッサプラットフォームは、さらに、ＲＦブロックを介して、移動機器に格納された宛先アドレスに対応したＲＦモジュール機能有効化システムに登録メッセージを通信ネットワークを介して送信するように移動機器を動作させることを特徴とする移動機器。
【請求項９】
請求項８記載の移動機器において、プロセッサプラットフォームは、さらに、登録メッセージの送信の前に、登録メッセージの暗号化を行うように動作することを特徴とする移動機器。
【請求項１０】
請求項８記載の移動機器において、プロセッサプラットフォームは、さらに、受信確認メッセージを受信し、受信確認メッセージの受信を待ち、実施許諾を受けたモジュールの動作を、少なくとも部分的に待機状態とするように移動機器を動作させることを特徴とする移動機器。
【請求項１１】
請求項８記載の移動機器において、登録メッセージは、ショートメッセージサービス（ＳＭＳ）に対応した形式であることを特徴とする移動機器。
【請求項１２】
請求項８記載の移動機器において、登録メッセージは、ワイヤレスアプリケーションプロトコル（ＷＡＰ）メッセージであることを特徴とする移動機器。
【請求項１３】
請求項８記載の移動機器において、登録メッセージは、デュアルトーン・マルチフリーケンシー（ＤＦＭＦ）信号音を含み、宛先アドレスは電話番号であることを特徴とする移動機器。
【請求項１４】
請求項８記載の移動機器において、モジュールハンドラは、宛先アドレスに対応した格納された値をモジュールパラメータの中から検索するように動作し、モジュールハンドラは、さらに、宛先アドレスのデフォルト値を含むことを特徴とする移動機器。
【請求項１５】
請求項９記載の移動機器において、モジュールハンドラは、宛先アドレスに対応した格納された値をモジュールパラメータの中から検索するように動作し、モジュールハンドラは、さらに、宛先アドレスのデフォルト値を含むことを特徴とする移動機器。
【請求項１６】
請求項８記載の移動機器において、プロセッシングプラットフォームは、さらに、移動機器に対する格納された配信経路パラメータに基づき、登録メッセージの配信経路を選択するように動作することを特徴とする移動機器。
【請求項１７】
請求項８記載の移動機器において、モジュールパラメータは、さらに、配信経路パラメータを含むことを特徴とする移動機器。
【請求項１８】
移動機器の実施許諾を受けたモジュールの機能有効化システム（１１４）であって、
機能有効化システムは、
ネットワークインターフェース（１１６、１１８、１２４、１２６）が、登録メッセージを通信ネットワークから受信するように動作し、
データリポジトリ（１３４）が、有効化された実施許諾を受けたモジュールの数を保持できるように、モジュール識別子と時間パラメータとを含む登録メッセージで受信したモジュールパラメータを格納するように動作することを特徴としたネットワークインターフェースを含む機能有効化システム。
【請求項１９】
請求項１８記載の機能有効化システムにおいて、ネットワークインターフェースは、さらに、登録メッセージに応じて、受信確認メッセージを送信するように動作することを特徴とする機能有効化システム。
【請求項２０】
請求項１８記載の機能有効化システムにおいて、少なくともいくつかの登録メッセージは、ショートメッセージサービス（ＳＭＳ）を介して受信されることを特徴とする機能有効化システム。
【請求項２１】
請求項１８記載の機能有効化システムにおいて、少なくともいくつかの登録メッセージは、ワイヤレスアプリケーションプロトコル（ＷＡＰ）メッセージであることを特徴とする機能有効化システム。
【請求項２２】
請求項１８記載の機能有効化システムにおいて、少なくともいくつかの登録メッセージは、電話回線接続を介して受信されたデュアルトーン・マルチフリーケンシー（ＤＦＭＦ）信号音の系列であることを特徴とする機能有効化システム。
【請求項２３】
請求項１８記載の機能有効化システムは、さらに、データリポジトリを管理する機能（１３８）を含むことを特徴とする機能有効化システム。